(57)【要約】【課題】洗い工程から仕上工程までが一連として実施でき、水の再利用を促進することで、環境保全に更に配慮したリサイクル式洗濯水供給装置を提供する。【解決手段】この洗濯水供給装置３０は、洗い水が貯留される第１貯留槽３１１と、濯ぎ水が貯留される第２貯留槽３１２および第３貯留槽３１３と、新水が貯留される第４貯留槽３１４と、水洗機２０に仕上工程の時の糊剤を含む仕上げ水を貯留する第５貯留槽３１５と、第１貯留槽３１１から水洗機２０へ洗い水を供給し、洗い後に第２貯留槽３１２から濯ぎ水を供給し、水洗機２０での濯ぎ後に濯ぎ水を第１貯留槽３１１へ供給する手順を第２貯留槽３１２から第４貯留槽３１４まで順番に繰り返すと共に、第５貯留槽３１５から仕上げ水を水洗機２０へ供給し、仕上げ後に仕上げ水を第５貯留槽３１５へ供給するためのそれぞれの流路に設けられた弁を選択的に開閉する制御盤４１とを備えている。【選択図】図１
2010187780.tif 000002
【特許請求の範囲】
【請求項１】
洗濯物が洗濯される洗濯槽に、洗い工程の時の洗い水や、濯ぎ工程の時の濯ぎ水などの洗濯水を供給する洗濯水供給装置であって、
前記洗濯槽からの濯ぎ水が貯留され、前記洗濯槽へ洗い水として供給される洗い水貯留槽と、
前記洗濯槽へ供給される濯ぎ水が貯留される濯ぎ水貯留槽と、
前記洗濯槽に仕上工程の時の仕上剤を含む仕上げ水を貯留する仕上げ水貯留槽と、
前記洗い水貯留槽から洗い水を前記洗濯槽へ供給し、洗い水が排水された洗い後の前記洗濯槽へ前記濯ぎ水貯留槽から濯ぎ水を供給し、前記洗濯槽での濯ぎ後に濯ぎ水を前記洗い水貯留槽へ供給すると共に、前記仕上げ水貯留槽から仕上げ水を前記洗濯槽へ供給し、仕上げ後に前記仕上げ水を前記仕上げ水貯留槽へ供給するためのそれぞれの流路に設けられた弁を選択的に開閉する流路切替手段と
を備えたリサイクル式洗濯水供給装置。
【請求項２】
前記仕上げ水貯留槽は、糊付け用の糊剤が希釈された仕上げ水を貯留するものである請求項１記載のリサイクル式洗濯水供給装置。
【請求項３】
前記濯ぎ水貯留槽として、段階的に濯ぎを行うための２以上の貯留槽が設けられ、
前記流路切替手段は、前記２以上の貯留槽のうちの一の貯留槽から順に、前記洗濯槽へ濯ぎ水を供給し、前記洗濯槽からの洗濯水を前段の貯留槽へ、または最前段の貯留槽であれば洗い水貯留槽へそれぞれの流路に設けられた弁を選択的に開閉する請求項１または２記載のリサイクル式洗濯水供給装置。
【請求項４】
前記２以上の貯留槽には、
上側から洗濯水を供給する流入管と、
底部から貯留された洗濯水を取り出す流出管と、
前記流入管側と前記流出管側とを区画するように、下方の隙間を流路とした仕切板と
が設けられている請求項１から３のいずれかの項に記載のリサイクル式洗濯水供給装置。
【請求項５】
前記２以上の濯ぎ水貯留槽のうち、最終段の濯ぎ水貯留槽より前段の濯ぎ水貯留槽に、濯ぎ水を消毒する殺菌剤供給装置を備えた請求項３または４記載の洗濯水供給装置。
【請求項６】
前記濯ぎ水貯留槽へ供給する濯ぎ水を軟水とする軟水化装置が設けられている請求項１から５のいずれかの項に記載の洗濯水供給装置。
【発明の詳細な説明】
【技術分野】
【０００１】
本発明は、洗い水や濯ぎ水を再利用して洗濯槽に供給するリサイクル式洗濯水供給装置に関する。
【背景技術】
【０００２】
洗濯に用いられる水は、洗剤を使って汚れを落とす「洗い」や、水洗して洗濯物に残留した洗剤を洗い流す「濯ぎ」と大量に必要である。大量に必要となる水は、コスト面で問題であるが、水は限られた資源なので環境保全の面からも重大な問題である。一般家庭用では、手動により風呂の残り湯を汲み上げ洗濯水の洗い水として使用することが行われている。近年では、例えば、特許文献１に記載の洗濯機では、風呂の残り湯を汲み上げるポンプを備えることで、すすぎ工程において残り湯を使用することを設定しておくと、自動的に汲み上げ再利用することができるようにしている。
【０００３】
また、濯ぎ水を洗い水として再利用するものも知られている。例えば、特許文献２に記載の水洗機では、洗濯及びすすぎによって生ずる洗浄排水を、少なくとも活性汚泥処理槽、精密濾過槽、及び逆浸透濾過槽を具備する洗浄排水浄化装置によって浄化処理し、浄化処理された水をすすぎ工程に使用する処理水として還流するようにしたものである。
【０００４】
また、特許文献３に記載の連続式洗濯システムは、内外胴(二重ドラム)をもつ独立した複数のモジュールで構成され、洗濯水が被洗物の動きと反対方向から流れるカウンターフロー方式の連続式洗濯機と、新水を供給する新水供給ラインと、洗浄剤を含有する洗浄液を供給する洗浄液供給ラインと、洗浄済みの洗濯水を排出する洗濯水排水ラインと、排出される再利用水を「再利用水分配タンク」を経て洗浄部へ戻す第１の再利用水リサイクルラインとを備えたものである。この連続式洗濯システムには、糊付け成分、中和成分等からなる仕上剤を貯留する仕上剤タンクが設けられており、仕上剤タンクからラインにより仕上剤がすすぎ部に供給される。
【先行技術文献】
【特許文献】
【０００５】
【特許文献１】特開２００７−３０７０２５号公報
【特許文献２】特開２００１−１１３０８０号公報
【特許文献３】特開２００７−１５９６６０号公報
【発明の概要】
【発明が解決しようとする課題】
【０００６】
しかし、特許文献２に記載の水洗機では、仕上工程を備えておらず、最終工程まで一連としてできるものではない。また、特許文献３に記載の連続式洗濯システムでは、仕上剤タンクからラインにより仕上剤がすすぎ部に供給されるが、仕上剤タンクはすすぎ部に供給する一方のタンクであるため、環境保全という観点からはシステム全体としてまだ不足している、
【０００７】
そこで本発明は、洗い工程から仕上工程までが一連として実施でき、水の再利用を促進することで、環境保全に更に配慮することができるリサイクル式洗濯水供給装置を提供することを目的とする。
【課題を解決するための手段】
【０００８】
本発明のリサイクル式洗濯水供給装置は、洗濯物が洗濯される洗濯槽に、洗い工程の時の洗い水や、濯ぎ工程の時の濯ぎ水などの洗濯水を供給する洗濯水供給装置であって、前記洗濯槽からの濯ぎ水が貯留され、前記洗濯槽へ洗い水として供給される洗い水貯留槽と、前記洗濯槽へ供給される濯ぎ水が貯留される濯ぎ水貯留槽と、前記洗濯槽に仕上工程の時の仕上剤を含む仕上げ水を貯留する仕上げ水貯留槽と、前記洗い水貯留槽から洗い水を前記洗濯槽へ供給し、洗い水が排水された洗い後の前記洗濯槽へ前記濯ぎ水貯留槽から濯ぎ水を供給し、前記洗濯槽での濯ぎ後に濯ぎ水を前記洗い水貯留槽へ供給すると共に、前記仕上げ水貯留槽から仕上げ水を前記洗濯槽へ供給し、仕上げ後に前記仕上げ水を前記仕上げ水貯留槽へ供給するためのそれぞれの流路に設けられた弁を選択的に開閉する流路切替手段とを備えたことを特徴とする。
【０００９】
本発明のリサイクル式洗濯水供給装置は、流路切替手段が、洗濯槽と、洗い水貯留槽、濯ぎ水貯留槽、および仕上げ水貯留槽とのそれぞれに設けられたバルブを選択的に開閉することで、流路を切り替える。この切り替えにより、まず洗濯槽での洗いのために洗い水貯留槽から洗い水が洗濯槽へ供給される。次に、洗いが終了した洗濯槽から洗濯物の汚れと洗剤の泡が含まれた洗い水が排水されると、洗濯槽での濯ぎのために濯ぎ水が濯ぎ水貯留槽から洗濯槽へ供給される。次に、濯ぎが終了すると洗濯槽の濯ぎ水が洗い水貯留槽へ供給されると共に、仕上げ水貯留槽から仕上げ水が洗濯槽へ供給される。そして、仕上げが終了すると、仕上げ水が仕上げ水貯留槽へ供給されることで再び仕上げ水が再利用される。このように濯ぎ水を洗い水とし再利用を図りながら、洗い工程から仕上工程までを一連して洗濯を行うことができる。また、仕上工程における仕上げ水に至るまでも再利用を図ることができる。
【００１０】
前記仕上げ水貯留槽は、糊剤を含有した仕上げ水を貯留するものであれば、濯ぎ工程が終了した洗濯物に対して続けて糊付けを行うことができる。また、仕上げ水の再利用を図ることで糊剤の補給の回数を減らすことができる。
【００１１】
また、前記濯ぎ水貯留槽として、段階的に濯ぎを行うための２以上の貯留槽が設けられ、前記流路切替手段は、前記２以上の貯留槽のうちの一の貯留槽から順に、前記洗濯槽へ濯ぎ水を供給し、前記洗濯槽からの洗濯水を前段の貯留槽へ、または最前段の貯留槽であれば洗い水貯留槽へそれぞれの流路に設けられた弁を選択的に開閉するものであるのが望ましい。濯ぎ水貯留槽として２以上の貯留槽が設けられていることで、濯ぎ工程をこの貯留槽の数に応じて行うことができるので、仕上げを行う前の洗濯物に残留している洗剤の度合いをより低減することができる。従って、仕上げ水に混入する洗剤の度合いを軽減することができるので、仕上げ後の洗濯物を高い品質の仕上がりとすることができる。
【００１２】
前記２以上の貯留槽には、上側から洗濯水を供給する流入管と、底部から貯留された洗濯水を取り出す流出管と、前記流入管側と前記流出管側とを区画するように、下方の隙間を流路とした仕切板とが設けられているのが望ましい。洗い水貯留槽へ洗い水として供給される濯ぎ水には、洗剤の泡が含まれる場合がある。この洗剤の泡は、洗い水貯留槽の上側から流入管で濯ぎ水を供給することで、水面に浮いた状態で滞留する。洗濯槽へ濯ぎ水を洗い水として供給する場合に、勢いよく流出管から濯ぎ水を貯留槽の底部から取り出しても、仕切板が流入管側と流出管側とを区画しているので、洗剤の泡が濯ぎ水と共に流出する心配はない。従って、濯ぎが終わった洗濯物に洗剤を残留しにくくすることができる。
【００１３】
更に、前記２以上の濯ぎ水貯留槽のうち、最終段の濯ぎ水貯留槽より前段の濯ぎ水貯留槽に、濯ぎ水を消毒する殺菌剤供給装置を備えるのが望ましい。濯ぎ水を消毒することで、濯ぎや洗いに供される水を衛生的に保つことができる。また、最終段の濯ぎ水貯留槽より前段の濯ぎ水貯留槽に貯留されている濯ぎ水に殺菌剤を投入することで、最終的に洗濯物は最終段の殺菌剤を含まない濯ぎ水による濯ぎが行われるので、殺菌剤や臭いの残留を防止することができる。
【００１４】
更に、前記濯ぎ水貯留槽へ供給する濯ぎ水を軟水とする軟水化装置が設けられていると、濯ぎ水としての水や、また濯ぎ終わった濯ぎ水が洗い水として使用されるときの水を、軟水とすることで、洗剤の溶解性や泡立ちを高めることができるので、汚れをより一層落とすことができる。
【発明の効果】
【００１５】
本発明のリサイクル式洗濯水供給装置は、濯ぎ水を洗い水とし再利用を図りながら、洗い工程から仕上工程までを一連して洗濯を行うことができ、仕上工程における仕上げ水に至るまでも再利用を図ることができるので、水の再利用を促進することで更なる節水が図れることができる。よって、本発明のリサイクル式洗濯水供給装置は、環境保全に更に配慮することができる。
【図面の簡単な説明】
【００１６】
【図１】本発明の実施の形態に係る洗濯システムの構成を示す図である。
【図２】図１に示す洗濯システムにおける洗い工程を説明するための図である。
【図３】図１に示す洗濯システムにおける第１濯ぎ工程を説明するための図である。
【図４】図１に示す洗濯システムにおける第２濯ぎ工程を説明するための図である。
【図５】図１に示す洗濯システムにおける第３濯ぎ工程を説明するための図である。
【図６】図１に示す洗濯システムにおける仕上げ工程を説明するための図である。
【発明を実施するための形態】
【００１７】
本発明の実施の形態に係る洗濯システムについて、図面に基づいて説明する。図１は、本発明の実施の形態に係る洗濯システムの構成を示す図である。
なお、本明細書では、洗いに使用する水を洗い水、濯ぎに使用する水を濯ぎ水、仕上げに使用する仕上剤が希釈された水を仕上げ水、そしてこれらを総じて洗濯水と称している。
【００１８】
図１に示すように、洗濯システム１０は、洗濯装置である水洗機２０と、洗濯水供給装置３０とを備え、洗濯に使用する水をリサイクルするシステムである。水洗機２０は、洗い工程から仕上げ工程までを一連として行うことができるものである。この水洗機２０は、図示しない操作盤に洗濯モードや各種設定を入力することで、洗い時間、濯ぎ時間、濯ぎ回数、仕上げの時間、それぞれの工程の水位などが設定でき、この設定に応じて洗濯槽内に収納された洗濯物を自動的に洗濯するものである。水洗機２０は、それぞれの工程の状態や水位の状態などを状態信号として出力する機能を備えている。
【００１９】
洗濯水供給装置３０には、洗い水や濯ぎ水を貯留する洗濯水貯留槽３１と、洗い水や濯ぎ水の排出および供給を制御する制御盤４１と、軟水化装置４２と、殺菌装置として機能する殺菌剤供給装置４３とを備えている。
【００２０】
洗濯水貯留槽３１は、第１貯留槽３１１から第５貯留槽３１５で構成されている。第１貯留槽３１１〜第５貯留槽３１５のうち、第４貯留槽３１４を除く他の貯留槽は、一体的に形成されると共に、それぞれの貯留槽は分割板３１ａにより洗濯水が混入しないように分けられている。また、第１貯留槽３１１〜第３貯留槽３１３には、仕切板３１ｂが設けられている。
【００２１】
第１貯留槽３１１は、水洗機２０へ洗い水として供給される洗い水貯留槽と機能するものである。第２貯留槽３１２、第３貯留槽３１３および第４貯留槽３１４は、水洗機２０へ供給される濯ぎ水が貯留される濯ぎ水貯留槽として機能するものである。また、第５貯留槽３１５は、仕上剤が希釈された仕上げ水を貯留する仕上げ水貯留槽として機能するものである。本実施の形態では、仕上げ水として糊剤を水で希釈した水溶液を使用している。
【００２２】
洗濯水貯留槽３１は、流出管である、第１貯留槽３１１に接続された第１支流管３２１と、第２貯留槽３１２に接続された第２支流管３２２と、第３貯留槽３１３に接続された第３支流管３２３と、第４貯留槽３１４に接続された第４支流管３２４と、第５貯留槽３１５に接続された第５支流管３２５とが供給管３２へ合流して水洗機２０に接続されている。これらの第１支流管３２１〜第５支流管３２５のそれぞれには、電磁弁である第１供給弁３２１ａ〜第５供給弁３２５ａが設けられている。
【００２３】
また、洗濯水貯留槽３１は、流出管である、第１貯留槽３１１に接続された第１排出管３３１と、第２貯留槽３１２に接続された第２排出管３３２と、第３貯留槽３１３に接続された第３排出管３３３と、第５貯留槽３１５に接続された第４排出管３３４とが排出管３３へ合流して排水口３５ｂに接続されている。
【００２４】
第１排出管３３１〜第４排出管３３４のそれぞれには、電磁弁である第１排出弁３３１ａ〜第４排出弁３３４ａが設けられている。この第１排出弁３３１ａ〜第４排出弁３３４ａを制御盤４１により制御することで、第１貯留槽３１１〜第３貯留槽３１３および第５貯留槽３１５内の洗濯水を選択的に、または一括して排水口３５ｂへ排水することができる。
【００２５】
第４貯留槽３１４には、新水である市水を供給する給水管３１４ａが接続されている。第４貯留槽３１４に貯留される新水は、第４貯留槽３１４に設けられたボールタップ３１４ｂにより所定水位以下となったことが検出されると自動的に給水管３１４ａから吐出されることで補給される。
【００２６】
水洗機２０には、排出される排水を排水マス３４へ流す排水管２１が接続されている。この排水マス３４には、所定量の排水が溜まったことを検知するフロートスイッチ３４ａが設けられている。また、排水マス３４には、排水を汲み上げる排水ポンプ３４ｂが設けられている。排水ポンプ３４ｂには、電磁弁である排水弁３５ａを介在させて排水口３５ｂへ通じる排水管３５が接続されている。
【００２７】
排水弁３５ａの上流側の排水管３５には、戻り管３６が接続されている。この戻り管３６は、第１貯留槽３１１〜第３貯留槽３１３、および第５貯留槽３１５へ洗濯水を注入する流入管である第１分岐管３６１から第４分岐管３６４に分岐している。第１分岐管３６１から第４分岐管３６４には、第１戻り弁３６１ａから第４戻り弁３６４ａが設けられている。
【００２８】
制御盤４１は、水洗機２０と入力線４１ａにより接続されていることで水洗機２０からの状態信号を入力し、この状態信号に応じて、第１供給弁３２１ａ〜第５供給弁３２５ａ、排水弁３５ａおよび第１戻り弁３６１ａ〜第４戻り弁３６４ａの開閉と、排水ポンプ３４ｂの始動および停止とを制御する制御信号が制御線を介してを出力することで、洗濯水の流路を切り替える流路切替手段として機能するものである。この制御信号は、制御線４１ｂを通じて、第１供給弁３２１ａ〜第５供給弁３２５ａ、排水弁３５ａおよび第１戻り弁３６１ａ〜第４戻り弁３６４ａと、排水ポンプ３４ｂとに通知される。
【００２９】
軟水化装置４２は、世界保健機構（ＷＨＯ）の基準で規定されている中程度の軟水（６０〜１２０ｍｇ／Ｌ未満）および硬水（１２０〜１８０未満）を６０ｍｇ／Ｌ以下の軟水とする装置である。本実施の形態では、軟水化装置４２は、約５０ｍｇ／Ｌの洗濯に適した水とする機能を備えている。この軟水化装置４２は、新水を供給する給水管３１４ａに設けられている。市水を軟水化する方法については従来の公知の方法が使用できる。
【００３０】
殺菌剤供給装置４３は、殺菌剤を投入する装置で、第２分岐管３６２を介して第２貯留槽３１２へ向けて送水される濯ぎ水に、所定量ずつ供給する装置である。本実施の形態の殺菌剤供給装置４３では、殺菌剤として次亜塩素酸ナトリウムを含む溶液を供給しているが、他の殺菌剤でも一般的に使用されているものであれば問題はない。また、殺菌剤を投入する量は、第３貯留槽３１３および第４貯留槽３１４からの濯ぎ水による濯ぎで洗濯物に殺菌剤が残留しない程度としている。
【００３１】
以上のように構成された本発明の実施の形態に係る洗濯システムの使用状態について、図面に基づいて説明する。図２は、図１に示す洗濯システムにおける洗い工程を説明するための図である。図３は、図１に示す洗濯システムにおける第１濯ぎ工程を説明するための図である。図４は、図１に示す洗濯システムにおける第２濯ぎ工程を説明するための図である。図５は、図１に示す洗濯システムにおける第３濯ぎ工程を説明するための図である。図６は、図１に示す洗濯システムにおける仕上げ工程を説明するための図である。
なお、洗濯を開始する前には、洗濯水貯留槽３１の各槽に新水が満たされているものとする。また、水洗機２０には、予め洗濯モードや、各種設定が入力されているものとする。
【００３２】
図２に示すように、まず、制御盤４１は、水洗機２０からの洗い工程の開始の通知を受信すると、第１供給弁３２１ａを開放して第１貯留槽３１１に貯留された洗い水を、第１支流管３２１および供給管３２を介して水洗機２０へ供給する。
水洗機２０から洗濯槽内の水量が所定水位となったことの通知を受けた制御盤４１は、第１供給弁３２１ａを閉塞する。水洗機２０は洗いを開始し所定時間洗濯物を洗剤により洗濯する。
【００３３】
水洗機２０は、洗い工程が終了すると、終了した旨の通知を制御盤４１へ通知する。制御盤４１は、排水弁３５ａを開放すると共に、排水ポンプ３４ｂを始動することで、排水管３５を介して流れ出てくる汚れた洗い水を、排水マス３４から排水口３５ｂへ向けて排水する。排水の終了が水洗機２０から通知された制御盤４１は、排水ポンプ３４ｂを停止すると共に、排水弁３５ａを閉塞する。
排水が終了すると、次に水洗機２０は濯ぎ工程を開始する。本実施の形態では、濯ぎ工程は、第１濯ぎ工程から第３濯ぎ工程から構成される。
【００３４】
図３に示すように、水洗機２０から第１濯ぎ工程の開始を通知された制御盤４１は、第２供給弁３２２ａを開放して第２貯留槽３１２に貯留された濯ぎ水を、第２支流管３２２および供給管３２を介して水洗機２０へ供給する。この第２貯留槽３１２に貯留された濯ぎ水には、殺菌剤供給装置４３により殺菌剤が投入されていることで、濯ぎ水が殺菌されているので、濯ぎ水を衛生的に保つことができる。
【００３５】
水洗機２０から洗濯槽内の水量が所定水位となったことの通知を受けた制御盤４１は、第２供給弁３２２ａを閉塞する。水洗機２０は、濯ぎ動作を開始し、洗いが終了した洗濯物に対して所定時間ほど１回目の濯ぎを行う。
【００３６】
水洗機２０は、第１濯ぎ工程が終了すると、終了した旨の通知を制御盤４１へ通知する。制御盤４１は、排水弁３５ａを閉塞の状態のまま第１戻り弁３６１ａを開放すると共に、排水ポンプ３４ｂを始動することで、排水管３５を介して流れ出てくる濯ぎ水を、排水マス３４から戻り管３６および第１分岐管３６１を介して第１貯留槽３１１へ向けて送水する。第１貯留槽３１１へ向けて送水され、洗い工程における洗い水として貯留される水は、第１濯ぎ工程のときに、殺菌剤供給装置４３により殺菌剤が投入されているので、水を再利用しても衛生的に保つことができる。従って、洗濯水貯留槽３１に殺菌剤供給装置４３を備えることで、ノロウィルスやセレウス菌の繁殖を防止することができる。
排水の終了が水洗機２０から通知された制御盤４１は、排水ポンプ３４ｂを停止すると共に、第１戻り弁３６１ａを閉塞する。
【００３７】
このように、濯ぎ水貯留槽の最前段である第２貯留槽３１２から水洗機２０へ供給された濯ぎ水は、第１濯ぎ工程を行うことで、洗い水として水洗機２０から第１貯留槽３１１へ戻り、貯留される。
【００３８】
次に、水洗機２０は第２濯ぎ工程を行う。図４に示すように、水洗機２０から第２濯ぎ工程の開始を通知された制御盤４１は、第３供給弁３２３ａを開放して第３貯留槽３１３に貯留された濯ぎ水を、第３支流管３２３および供給管３２を介して水洗機２０へ供給する。
水洗機２０から洗濯槽内の水量が所定水位となったことの通知を受けた制御盤４１は、第３供給弁３２３ａを閉塞する。水洗機２０は、濯ぎ動作を開始し、１回目の濯ぎが終了した洗濯物に対して所定時間ほど２回目の濯ぎを行う。
【００３９】
水洗機２０は、第２濯ぎ工程が終了すると、終了した旨の通知を制御盤４１へ通知する。制御盤４１は、排水弁３５ａを閉塞の状態のまま第２戻り弁３６２ａを開放すると共に、排水ポンプ３４ｂを始動することで、排水管３５を介して流れ出てくる濯ぎ水を、排水マス３４から戻り管３６および第２分岐管３６２を介して第２貯留槽３１２へ向けて送水する。排水の終了が水洗機２０から通知された制御盤４１は、排水ポンプ３４ｂを停止すると共に、第２戻り弁３６２ａを閉塞する。
【００４０】
このように、第３貯留槽３１３から水洗機２０へ供給された濯ぎ水は、第２濯ぎ工程を行うことで、第１濯ぎ工程用の濯ぎ水として水洗機２０から第３貯留槽３１３の前段となる第２貯留槽３１２へ戻り、貯留される。
【００４１】
次に、水洗機２０は第３濯ぎ工程を行う。図５に示すように、水洗機２０から第３濯ぎ工程の開始を通知された制御盤４１は、第４供給弁３２４ａを開放して第４貯留槽３１４に貯留された濯ぎ水である新水を、第４支流管３２４および供給管３２を介して水洗機２０へ供給する。
水洗機２０から洗濯槽内の水量が所定水位となったことの通知を受けた制御盤４１は、第４供給弁３２４ａを閉塞する。水洗機２０は、濯ぎ動作を開始し、２回目の濯ぎが終了した洗濯物に対して所定時間ほど３回目の濯ぎを行う。３回目の濯ぎは新水で行うため、洗濯物から洗剤をしっかりと洗い流すことができる。
【００４２】
水洗機２０は、第３濯ぎ工程が終了すると、終了した旨の通知を制御盤４１へ通知する。制御盤４１は、排水弁３５ａを閉塞の状態のまま第３戻り弁３６３ａを開放すると共に、排水ポンプ３４ｂを始動することで、排水管３５を介して流れ出てくる濯ぎ水を、排水マス３４から戻り管３６および第３分岐管３６３を介して第３貯留槽３１３へ向けて送水する。排水の終了が水洗機２０から通知された制御盤４１は、排水ポンプ３４ｂを停止すると共に、第３戻り弁３６３ａを閉塞する。
【００４３】
このように、第４貯留槽３１４から水洗機２０へ供給された濯ぎ水は、第３濯ぎ工程を行うことで、第２濯ぎ工程用の濯ぎ水として水洗機２０から第４貯留槽３１４の前段となる第３貯留槽３１３へ戻り、貯留される。
【００４４】
３回目の濯ぎとなる第３濯ぎ工程では、新水により濯ぎを行っている。この新水は、軟水化装置４２により軟水化されていることにより、洗剤の溶解性が向上するので、洗濯物に残留した洗剤を濯ぎ水に溶け込ませることができる。更に、上述したように、３回目で使用した新水による濯ぎ水は、２回目の濯ぎ水として使用され、２回目の濯ぎで使用された濯ぎ水は１回目の濯ぎ水として使用され、１回目の濯ぎで使用された濯ぎ水は洗い水として使用される。従って、軟水化装置４２により軟水化された水は、最終的は洗いから濯ぎまで全体的に使用されるので、洗剤の溶解性や泡立ちを高めることができるので、汚れをより一層落とすことができる。
【００４５】
また、第１濯ぎ工程では殺菌剤供給装置４３により殺菌剤が投入された濯ぎ水が使用されているが、第２濯ぎ工程と第３濯ぎ工程では殺菌剤の投入はしていない。つまり、最終段の濯ぎ水貯留槽となる第４貯留槽３１４より前段の濯ぎ水貯留槽となる第２貯留槽３１２に貯留されている濯ぎ水を消毒することで、洗濯物は第３貯留槽３１３および第４貯留槽３１４に貯留された殺菌剤を含まない濯ぎ水による濯ぎが行われるので、殺菌剤や臭いの残留を防止することができる。
【００４６】
水洗機２０は、濯ぎ工程が終了すると仕上げ工程を行う。本実施の形態では、仕上げ工程は糊付け工程である。
図６に示すように、水洗機２０から仕上げ工程の開始を通知された制御盤４１は、第５供給弁３２５ａを開放して第５貯留槽３１５に貯留された糊剤を希釈した仕上げ水を、第５支流管３２５および供給管３２を介して水洗機２０へ供給する。
【００４７】
水洗機２０から洗濯槽内の水量が所定水位となったことの通知を受けた制御盤４１は、第５供給弁３２５ａを閉塞する。水洗機２０は、仕上げ動作を開始し、３回目の濯ぎが終了した洗濯物に対して所定時間ほど糊付けを行う。
【００４８】
水洗機２０は、仕上げ工程が終了すると、終了した旨の通知を制御盤４１へ通知する。制御盤４１は、排水弁３５ａを閉塞の状態のまま第４戻り弁３６４ａを開放すると共に、排水ポンプ３４ｂを始動することで、排水管３５を介して流れ出てくる仕上げ水を、排水マス３４から戻り管３６および第４分岐管３６４を介して第５貯留槽３１５へ向けて送水する。排水の終了が水洗機２０から通知された制御盤４１は、排水ポンプ３４ｂを停止すると共に、第４戻り弁３６４ａを閉塞する。このように、第５貯留槽３１５から水洗機２０へ供給された仕上げ水は、仕上げ工程を行うことで、再度、仕上げ水として水洗機２０から第５貯留槽３１５へ戻り、貯留される。そして、水洗機２０は最終的に脱水を行うことで洗濯の全工程を終了する。
第５貯留槽３１５に貯留された仕上げ水が所定量より減ってきた場合には、糊剤を希釈した仕上げ水を手動または自動で補給する。
【００４９】
本実施の形態では、第１貯留槽３１１〜第３貯留槽３１３の各槽の上部に流入管となる第１分岐管３６１〜第３分岐管３６３が設けられ、底部に流出管となる第１支流管３２１〜第３支流管３２３が設けられている。この第１分岐管３６１〜第３分岐管３６３と、第１支流管３２１〜第３支流管３２３とは、互いに真上、真下の関係にならないようにずれた位置に配置されている。そして、その間を区画するように、下方の隙間を流路とした仕切板３１ｂが設けられている。従って、第１分岐管３６１〜第３分岐管３６３によって戻された洗濯水に洗剤の泡が混入していても、第１分岐管３６１〜第３分岐管３６３側の水面に浮いた状態となるので、第１分岐管３６１〜第３分岐管３６３側から勢いよく流出させても、洗剤の泡が濯ぎ水や洗い水と共に流出する心配はない。従って、濯ぎが終わった洗濯物に洗剤を付着させ残留させることを防止することができる。
【００５０】
また、３回目の濯ぎは新水で行われ、２回目の濯ぎは新水で行われた濯ぎ水が使用され、１回目の濯ぎは２回目の濯ぎ水が使用され、洗いは１回目の濯ぎ水が使用されることで、常に新水が新たに追加され濯ぎ水として循環するように使用されるので、濯ぎ水の汚れが蓄積されて酷くなることはない。また、３基の濯ぎ用の貯留槽（第２貯留槽３１２〜第４貯留槽３１４）が設けられていることで３回の濯ぎを行うことができるので、濯ぎ工程後の洗濯物に洗剤が残留しにくい。従って、仕上げ水に混入する洗剤の度合いを軽減することができるので、仕上げ水を第５貯留槽３１５で再利用しても、仕上げ後の洗濯物を高い品質の仕上がりとすることができる。また、第３濯ぎ工程は新水による濯ぎを行うので、洗剤の残留を極めて少ない洗濯物に対して糊付けを行うことができるので、洗濯物の仕上がりを更に高い品質のものとすることができる。
【００５１】
このように、濯ぎ水を洗い水とし再利用を図りながら、洗い工程から仕上工程までを一連して洗濯を行うことができる。また仕上工程における仕上げ水に至ってまでも再利用を図ることができる。従って、水の再利用をより一層促進することができ、更に環境保全を配慮した洗濯システム１０とすることができる。
【００５２】
なお、本実施の形態では、水洗機２０と洗濯水供給装置３０とは別体としているが、一体的に構成してもよい。また、濯ぎ水を第２貯留槽３１２〜第４貯留槽３１４の３つの貯留槽から供給して３回の濯ぎを行っているが、濯ぎ回数に応じて貯留槽を２つにしたり、４つ以上とすることも可能である。
また、本実施の形態では、仕上剤として糊剤を使用しているが、柔軟剤や漂白剤、芳香性の高い仕上剤、ダニ忌避剤など、用途や洗濯物に応じて洗濯することが可能である。
【００５３】
また、本実施の形態では、水洗機２０から状態信号の通知を受けて制御盤４１が各電磁弁の開閉を制御したり、排水ポンプの３４ｂの始動、停止を制御したりしているが、制御盤が水洗機へ洗い工程、濯ぎ工程、仕上げ工程などの全てを指示するように制御してもよい。
【産業上の利用可能性】
【００５４】
本発明は、洗い水や濯ぎ水を再利用して洗濯槽に供給する洗濯水供給装置に好適である。特に、本発明を大量に洗濯水を使用するクリーニング業者や施設で使用される洗濯装置に適用することで節水効果を最大限に活用できる。
【符号の説明】
【００５５】
１０  洗濯システム
２０  水洗機
２１  排水管
３０  洗濯水供給装置
３１  洗濯水貯留槽
３１ａ  分割板
３１ｂ  仕切板
３１１  第１貯留槽
３１２  第２貯留槽
３１３  第３貯留槽
３１４  第４貯留槽
３１４ａ  給水管
３１４ｂ  ボールタップ
３１５  第５貯留槽
３２  供給管
３２１  第１支流管
３２１ａ  第１供給弁
３２２  第２支流管
３２２ａ  第２供給弁
３２３  第３支流管
３２３ａ  第３供給弁
３２４  第４支流管
３２４ａ  第４供給弁
３２５  第５支流管
３２５ａ  第５供給弁
３３  排水管
３３１  第１排出管
３３１ａ  第１排出弁
３３２  第２排出管
３３２ａ  第２排出弁
３３３  第３排出管
３３３ａ  第３排出弁
３３４  第４排出管
３３４ａ  第４排出弁
３４  排水マス
３４ａ  フロートスイッチ
３４ｂ  排水ポンプ
３５  排水管
３５ａ  排水弁
３５ｂ  排水口
３６  戻り管
３６１  第１分岐管
３６１ａ  第１戻り弁
３６２  第２分岐管
３６２ａ  第２戻り弁
３６３  第３分岐管
３６３ａ  第３戻り弁
３６４  第４分岐管
３６４ａ  第４戻り弁
４１  制御盤
４１ａ  入力線
４１ｂ  制御線
４２  軟水化装置
４３  殺菌剤供給装置
【図１】
2010187780.tif 000003
【図２】
2010187780.tif 000004
【図３】
2010187780.tif 000005
【図４】
2010187780.tif 000006
【図５】
2010187780.tif 000007
【図６】
2010187780.tif 000008